(57)【要約】      （修正有）【課題】着脱が容易であって、かつ、使用方法が多岐に亘るチョーカーを提供する。【解決手段】首に巻きつけられる本体部１１と、その本体部１１の両端に内蔵されている磁石２０と、さらに本体部１１の両端に取り付けられ、端部から略半円形状が突出している環状部材２１と、を有するチョーカー１０とし、環状部材２１はゴム製にするとよい。その環状部材２１に、スカーフ又はストールを通してチョーカー１０と組み合わせることで、一体的な装飾具として様々なアレンジを楽しむことができる。【選択図】図１
0003202064.tif 000002
【実用新案登録請求の範囲】
【請求項１】
首に巻きつけられる本体部と、
前記本体部の両端に内蔵されている磁石と、
前記本体部の両端に取り付けられ、端部から略半円形状が突出している環状部材と、
を有することを特徴とするチョーカー。
【請求項２】
前記環状部材が、ゴム製であることを特徴とする請求項１に記載のチョーカー。
【請求項３】
前記環状部材に通されたスカーフ又はストールを有し、
前記スカーフ又はストールと組み合わせて一体的な装飾具として使用されることを特徴とする請求項１又は２に記載のチョーカー。
【考案の詳細な説明】
【技術分野】
【０００１】
本考案は、様々なアレンジが可能なチョーカーに関する。
【背景技術】
【０００２】
首にぴたりと巻きつけるタイプの装飾具をチョーカーといい、素材には革製、布製、ミンク等のファー素材、レースなど、様々なバリエーションがある。
【０００３】
チョーカーを首に装着するときは、クリップやボタン等を用いて、チョーカーの両端を留めるのが一般的である。特許文献１では、チョーカーの着脱を容易にするため、着脱構造に磁石を用いることが開示されている。図４は、着脱構造に磁石を用いたチョーカーの図である。
【０００４】
着脱構造に磁石１２０を用いたチョーカー１００は、ファー素材などからなる本体部１１０の両端から突出させた被覆材１２１を設け、その被覆材１２１の中に磁石１２０を内蔵させている。このような被覆材１２１を備える構成にすることで、厚みのあるファー素材などのチョーカー１１０であっても磁石１２０を用いることができるところに特徴がある。
【０００５】
しかし、このようなチョーカー１００の場合、首に巻いて磁石１２０で留める以外の使用方法が乏しく、様々なアレンジを施すことは難しい。
【先行技術文献】
【特許文献】
【０００６】
【特許文献１】特許第４２９０７０８号公報
【考案の概要】
【考案が解決しようとする課題】
【０００７】
このような実情に鑑み、本考案は、着脱が容易であって、かつ、使用方法が多岐に亘るチョーカーを提供することを目的とする。
【課題を解決するための手段】
【０００８】
上記の目的を達成するために、本考案のチョーカーは、首に巻きつけられる本体部と、その本体部の両端に内蔵されている磁石と、さらに本体部の両端に取り付けられ、端部から略半円形状が突出している環状部材と、を有することを特徴とするものである。ここで、環状部材がゴム製であることにするとよい。
【０００９】
さらに、前記環状部材に通されたスカーフ又はストールを有し、そのスカーフ又はストールと組み合わせて一体的な装飾具として使用することにしてもよい。
【考案の効果】
【００１０】
本考案のチョーカーによれば、本体部の両端に取り付けられた環状部材を利用して、所有しているスカーフ等と組み合わせて一体的な装飾具にすることができ、かつ、本体部に内蔵されている磁石によって、チョーカーを首に容易に着脱できるという効果を奏する。
【００１１】
そして、環状部材は、スカーフ等を通すだけでなく、クリップ式のアクセサリー等を留めるのにも利用できるので、スカーフ等を取り替えたり、アクセサリーを追加したりすることで、チョーカーの使用方法が多岐に亘り、様々なアレンジを楽しむことができる。
【００１２】
また、環状部材をゴム製にすることで、スカーフ等を通しやすく、かつ、スカーフ等が抜けるのを抑えることができるという効果も得られる。
【図面の簡単な説明】
【００１３】
【図１】本考案のチョーカーの全体図と、端部の拡大図である。
【図２】チョーカーとスカーフとを組み合わせた図であり、（ａ）は開いた状態、（ｂ）は磁石で閉じた状態である。
【図３】（ａ），（ｂ），（ｃ）は、チョーカーのアレンジを例示する図である。
【図４】着脱構造に磁石を用いたチョーカーの図である。
【考案を実施するための形態】
【００１４】
以下、本考案の実施の形態を添付図面を参照して説明する。
図１は、本考案のチョーカーの全体図と、端部の拡大図である。本考案のチョーカー１０の構成は、首に巻きつけられる本体部１１と、その本体部１１の両端に内蔵されている磁石２０，２０と、さらに本体部１１の両端に取り付けられ、略半円形状が端部から突出している環状部材２１，２１と、からなる。
【００１５】
本体部１１の素材としては、革製、布製、ミンク等のファー素材、レースなどがある。なお、図１に示したチョーカー１０は例示なので模様や毛等を描いていないが、例えば、ファー素材の場合には本体部１１の表面が毛で覆われていることになる。また、本体部１１の形状としては、両端部を閉じた筒形状を基本とするが、特に筒形状に限定するものではない。
【００１６】
磁石２０は、本体部１１の両端に設けられており、両端の磁石２０，２０を磁着することで、チョーカー１０を首に巻きつけて留めることができる。磁石２０は、本体部１１の両端に内蔵させるのを基本とする。内蔵させることで磁石２０が見えないので、外観上好ましく、また、本体部１１から突出していないことで、磁石２０が邪魔にならない。なお、磁石２０が本体部１１の内部で両端から移動しないように、本体部１１を縫っておくなどの措置を施しておくとよい。
【００１７】
環状部材２１は、本体部１１の端部から略半円形状が突出するように取り付けられている。つまり、環状部材２１の突出していない部分は、本体部１１の内部に収められ、縫い付けておけばよい。なお、本体部１１の内部に収められている部分は、必ずしも環状に繋がっている必要はなく、本体部１１にしっかりと繋がっていれば特に問題はない。
【００１８】
環状部材２１の素材としては、ゴム製にするのが適している。ゴム製にすることで、本体部１１からの突出量を小さくでき、目立ちにくくすることができるからである。さらに、環状部材２１と本体部１１とを同じ色にしておけば、より目立ちにくくすることができる。
【００１９】
また、詳細は後述するが、環状部材２１は、スカーフ等を通すのに使用される。そのとき、環状部材２１がゴム製であれば、スカーフ等を通しやすく、また、ゴムが縮んでスカーフ等をしっかりと留めることができるので、使用中にスカーフ等が抜けることを抑えることができる。
【００２０】
図２は、チョーカーとスカーフとを組み合わせた図であり、（ａ）は開いた状態、（ｂ）は磁石で閉じた状態である。スカーフ３０の端部をチョーカー１０の両端に設けられた環状部材２１，２１に通し、チョーカー１０の本体部１１とスカーフ３０を二重にすることで、一体的な装飾具として使用することができるという本考案の実施例である。
【００２１】
首に装着するときは、チョーカー１０に内蔵された磁石２０，２０を磁着すればよいので、スカーフ３０と一体的にしても、装着方法はチョーカー１０単独の場合と同じで、着脱は容易である。
【００２２】
また、図２では、チョーカー１０の本体部１１とスカーフ３０とを沿わしているだけの実施例であるが、スカーフ３０を本体部１１に螺旋状に絡ませたり、環状部材２１に通したスカーフ３０の先端部を結んだりしてもよい。
【００２３】
次に、チョーカーの使用例を説明する。図３は、（ａ），（ｂ），（ｃ）は、チョーカーのアレンジを例示する図である。
【００２４】
図３（ａ）は、チョーカー１０単体を首に巻きつけた例である。ここでは、チョーカー１０の端部を首の後ろで留めている。チョーカー１０の着脱を磁石で行えるので、首の後ろでも付け外しが容易である。図のようなファーのチョーカー１０であれば、アクセサリーとしてだけでなく、防寒の効果もある。
【００２５】
図３（ｂ）は、チョーカー１０とスカーフ３０とを組み合わせて一体としたものを使用した例である。ストールクリップ等のアクセサリー４０を併せて使用している。前述したように、スカーフ３０をチョーカー１０に螺旋状に巻きつけてもよいし、前で結んでもよい。また、スカーフ４０は容易に取り替えられるので、手持ちのスカーフ４０の色や柄によって、様々なアレンジを実現することができる。
【００２６】
図３（ｃ）は、首に巻きつける部分はチョーカー１０のみとし、環状部材を利用して、ストール３０やストールクリップ等のアクセサリー４０を取り付けた例である。取付けたストール３０は、結んでもよいし、前に垂らしてもよい。
【００２７】
これら図３（ａ），（ｂ），（ｃ）に例示したように、本考案のチョーカー１０は、スカーフ３０（ストール）との組み合わせや、アクセサリー４０の有無などによって、多様なアレンジをすることができ、また、着脱が容易であることから、一つ持っていれば非常に重宝する装飾具である。
【００２８】
また、本考案のチョーカーは、首に巻きつけるチョーカー本来としての使用方法以外にも、様々な態様で使用することが可能である。例えば、ヘアバンド（カチューシャ）として頭に巻きつけたり、ベルトのように腰に巻いたりしてもよい。また、バッグの把手や帽子に取り付けるといった、ファッションアイテムにアレンジを加えるような使用方法もある。また、チョーカーに組み合わせるものも、スカーフ等やストールクリップのようなものに限らず、例えば、パールなどのネックレスを環状部材に通してチョーカーと連結させるような組み合わせにしたり、環状部材をブローチで連結させてチョーカーとして使用することも可能である。
【００２９】
以上の通り、本考案のチョーカーは、装着が容易であり、かつ、様々なアレンジが可能であるという優れた特徴を有する装飾具である。
【符号の説明】
【００３０】
１０ チョーカー
１１ 本体部
２０ 磁石
２１ 環状部材
３０ スカーフ（ストール）
４０ アクセサリー
【図１】
0003202064.tif 000003
【図２】
0003202064.tif 000004
【図３】
0003202064.tif 000005
【図４】
0003202064.tif 000006